(57)【要約】【課題】従来の安全ピンでは、針先保持部から針先を外して、布等に刺すまでの間に指などに刺してしまうことがある。あるいは布等の対象物に貫通後、針先を針先保持部に戻す際に、針先を指で押さえる必要があり、このときに、指に刺してしまうことが多く、「安全ピン」の名称にふさわしくない、危険度がある。【解決手段】当安全ピンは、適度に湾曲した板ばね（１）の両端に、針先（２）を収納するための、パイプ状の収納部（３）を設け、各ベース（４〜７）、パイプ状の針先保持部（１０）等で構成された、安全ピンである。針先保持部に内装された、ストッパー（１２）はストッパーホール１（１９）に突き出て、針先をこの位置で固定する。【選択図】          図１
2004201735.tif 000002
【特許請求の範囲】
【請求項１】
弓状の板ばね（１）の両端に針先（２）を収納するための収納部（３）を設け、パイプ状の収納部（３）に、針先保持部（１０）とコイルばね（８）を内装し、さらに、パイプ状の針先保持部に、シーソー状のストッパー（１２）と針先を取り付け、針先取付部（１１）を内装し、針先の先端部から約４mmのところで、針先を約３０度に曲げ、当安全ピンを取り外す際に、ストッパーホール１（１９）に突き出ている、ストッパーを押し戻すために、ストッパー押し戻し（１４）を設けた、安全ピン。
【発明の詳細な説明】
【０００１】
【発明の属する技術分野】
この発明は、コイルばね、板ばねを用いた、安全ピンに関するものである。
【０００２】
【従来の技術】
従来より、安全ピンといえば、代表的なものは図３のような形状のものが上げられる。これは片方にループ部があり、もう一方には、針先を保持する溝状の保持部がある。この保持部から、針先を外し布等の対象物に突き刺して使用している。
【０００３】
【発明が解決しようとする課題】
本発明の目的は、従来の安全ピンでは、針先保持部から針先を外して、布等に刺すまでの間に指などに刺してしまうことがある。あるいは布等の対象物に貫通後、針先を針先保持部に戻す際に、針先を指で押さえる必要があり、このときに、指に刺してしまうことが多く、「安全ピン」の名称にふさわしくない、危険度がある。
本発明は、以上の点を解決するために発明された、安全ピンである。
【０００４】
【課題を解決するための手段】
当安全ピンは、図１に示すように、適度に湾曲した板ばね（１）の両端に針先（２）を収納するための、パイプ状の収納部（３）を設け、各ベース（４〜７）、パイプ状の針先保持部（１０）等で構成された、安全ピンである。
【０００５】
当安全ピンは、収納部の中で、スムーズに移動できる、針先保持部の一端に、針先取付部（１１）を設け、針先を取り付ける。
針先保持部に内装された、ストッパー（１２）はストッパーピン（１３）を支点に、筒の半径方向に上下し、収納部の端末にストッパーの作用点（２１）が接触すると、ストッパーホール１（１９）に突き出して、針先はこの位置で固定される。これはストッパーホール１まで押し出されると、収納部に収められたコイルばね（８）により、押し戻す作用が働くためである。コイルばねの反発力は、収納部端末（９）で受け止める。
【０００６】
当安全ピンを取り外すときは、ストッパー押し戻し（１４）を押し戻しガイド（１５）内でスライドさせて、ストッパーの先端に合わせて押せば、コイルばねの反発力で針は収納部に収納される。
ストッパー押し戻し（１４）は押し戻しガイド（１５）内に挿入されているが、これは、ストッパー押し戻しの下に内装された、抑えばね（１６）で固定されている。
【０００７】
針先は、板ばね側に約３０℃曲げられているが、これは布等を貫通後、布地に食い込む形で収まるようにして、布地の外にできるだけ出ないように考慮した、角度である。
【０００８】
当安全ピンにおいては、板ばねを直線状にしない限り、針先が指等の方向に、向くことはない。その上、従来の安全ピンのように保持部の溝に、針先を収めるために、指先で針先を押えることは必要なく、安全ピンを取り扱う際に、指等を突き刺すおそれは殆どない。
【０００９】
【発明の実施の形態】
以下、本発明の実施の形態について説明する。
【００１０】
図１において、中央ベースには名札、番号札等を取り付けられるように細工しなければならないが、図示は省略する。同様に中央ベースには、リング、あるいは開閉自在な輪状フックを取り付けて、当安全ピンを使用することができるが図示は省略する。
【００１１】
ストッパーはストッパーピンを支点に上下するが、このストッパーの高さはパイプの内径よりも０．３ｍｍ程度低いものとする。これは当安全ピンを取り外すときに、コイルばねの反発力で、針先保持部が飛び出してしまうことを避けるためであり、ストッパーホール２と収納部端末との間を約１ｍｍ凹ませて、ストッパーがこの位置で止まるようにする。この凹部は、当安全ピンを取り付ける際、テーパー状のストッパー作用点の接点にもなっている。
【００１２】
ストッパー押し戻し（１０）は、通常ストッパーの位置には置かない。これは何かの拍子にストッパー押し戻しが押されてしまい、ストッパーが外れてしまうことを避けるためである。ストッパーを外すときに、抑えばね（１６）で固定されたストッパー押し戻しを前進させて、ストッパーに合わせる。
抑えばねでストッパー押し戻しを固定すると同時に、ストッパーホール１の脇にストッパー押し戻しの先端（１７）を受け止める、窪み（１８）を設ける。
ストッパー押し戻し（１０）の先端は、円錐形の先を切り落とし、台形の形をした、ストッパーホール１に合う大きさとする。
【００１３】
当安全ピンを使用するときは、まず各ベースを三本の指で押さえ、湾曲した板ばねを直線に近い状態にして、収納部に収められた片方の針先を、押し出しながら、布等に突き刺す。次にもう一方の針先を、布地に対する針先の入射角を変えながら押し出して、布等に突き刺し、板ばねを元に戻す。
左右のベース（５，６）は、当安全ピンを取り付ける際、三本の指の支点となっているところである。この左右のベースは、収納部取付ベースとは切り離して成型してもよいが、図１には、一体成型した形で表している。一体成型にすれば、左（右）ベースと収納部取付ベースとの間に、板ばねを挿入するための、挿入部（２２）を設ければよい。このように成型すれば、板ばねとベースを接合する接着作業、またはビス留め作業の工程を、省略することができる。
【００１４】
当安全ピンを使用するときは、針先に指を添える必要はなく、布等をたくし上げることもなく、片手で楽に取り付けることができる。
このような形態で、当安全ピンを使用することができることは、垂れ幕等に取り付けるとき、手を伸ばして、届く範囲で取り付け作業ができることであり、アパレル関係の業務用としては、布地の仮止め等に使用することもできる。
【００１５】
一般的な利用方法としては、名札、番号札、ワッペン、リボン等の取り付けに適している。
【００１６】
【発明の効果】
当安全ピンにおいては、板ばねを直線状にしない限り、針先が指等の方向に、向くことはない。その上、従来の安全ピンのように収納部の溝に、針先を収めるために、指先で針先を押さえることは必要なく、安全ピンを取り扱う際に、指等を突き刺すおそれは殆どない。
当安全ピンを使用するときは、針先に指を添える必要はなく、布等をたくし上げることもなく、片手で楽に取り付けることができ、安全で、効率的な取り付け操作を行うことができる。
【図面の簡単な説明】
【図１】（イ）本発明の断面図  （ロ）Ａ−Ａの断面図  （ハ）Ｂ−Ｂの断面図
【図２】本発明の斜視図
【図３】一般的な安全ピン
【符号の説明】
１  板ばね
２  針先
３  収納部
４  中央ベース
５  右ベース
６  左ベース
７  収納部取付ベース
８  コイルばね
９  収納部端末
１０  針先保持部
１１  針先取付部
１２  ストッパー
１３  ストッパーピン
１４  ストッパー押し戻し
１５  押し戻しガイド
１６  抑えばね
１７  先端
１８  窪み
１９  ストッパーホール１
２０  ストッパーホール２
２１  作用点
２２  挿入部
【図１】
2004201735.tif 000003
【図２】
2004201735.tif 000004
【図３】
2004201735.tif 000005